(57)【要約】【課題】止水装置を遊間に設置する際の作業性を向上する。【解決手段】止水装置３０は複数のガイドプレート３２と単一のゴムシート３４とを含む。ガイドプレート３２の凹部形成片部３２０２は、遊間Ｓの長手方向および上方に開放状の凹部を形成し、一対の係止片部３２０４は、橋軸方向において互いに対向する凹部形成片部３２０２の上端にそれぞれ設けられ、橋桁２の端部２Ａの凹部２Ｃの上面に係止可能に設けられている。ゴムシート３４の樋状片部３４０２は、遊間Ｓの長手方向の全長にわたって延在し遊間Ｓの長手方向および上方に開放状の樋状を呈し、凹部形成片部３２０２の内側に収容されて配置されている。複数対の結合片部３４０４は、橋軸方向において互いに対向する樋状片部３４０２の上端にそれぞれ設けられ、一対の係止片部３２０４にそれぞれ結合されている。【選択図】図４
2014190123.tif 000002
【特許請求の範囲】
【請求項１】
道路橋を構成する要素の互いに対向する端部と共に前記道路橋の継ぎ目部を構成し前記端部の端面間に前記道路橋の橋軸方向と直交する方向に延在形成される遊間の伸縮を吸収する道路橋用伸縮装置の下方に配置される止水装置であって、
前記遊間の長手方向および上方に開放状の凹部を形成し前記道路橋の橋軸方向に弾性変形可能で前記遊間に収容される凹部形成片部と、前記橋軸方向において互いに対向する前記凹部形成片部の上端にそれぞれ設けられ前記端部に係止可能な一対の係止片部とを有し、前記遊間の長手方向に間隔をおいて配置される複数のガイドプレートと、
前記遊間の長手方向の全長にわたって延在し前記遊間の長手方向および上方に開放状の樋状を呈し前記複数のガイドプレートの前記凹部形成片部の内側に収容される樋状片部と、前記橋軸方向において互いに対向する前記樋状片部の上端にそれぞれ設けられ前記複数のガイドプレートの前記一対の係止片部にそれぞれ結合される複数対の結合片部とを有するゴムシートと、
を備えることを特徴とする止水装置。
【請求項２】
さらに、前記ゴムシートの前記結合片部を前記各ガイドプレートの前記係止片部との間で挟持する複数の押さえプレートを備える、
ことを特徴とする請求項１記載の止水装置。
【請求項３】
前記道路橋用伸縮装置は、前記端部の上面にアンカー筋を介して設けられた鉄筋コンクリート製の床版部を有し、
前記係止片部と前記結合片部とは、前記床版部に埋設される、
ことを特徴とする請求項２記載の止水装置。
【請求項４】
前記各押さえプレートは、前記結合片部に重ね合わされる上部と、前記凹部形成片部の上部に重ね合わされる下部とを有し、
前記係止片部と前記結合片部と前記上部とは、ボルト、ナットにより結合され、
前記ボルト、ナットは、前記係止片部と前記結合片部と前記上部と共に前記床版部に埋設される、
ことを特徴とする請求項３記載の止水装置。
【請求項５】
前記係止片部に、前記アンカー筋に結合されるワイヤが設けられている、
ことを特徴とする請求項３または４記載の止水装置。
【発明の詳細な説明】
【技術分野】
【０００１】
本発明は道路橋用伸縮装置の下方に配置される止水装置に関する。
【背景技術】
【０００２】
道路橋は、道路橋を構成する要素として、例えば、橋軸方向の両端に配置された橋台と、橋台の間に並べられた複数の橋脚と、それら橋台と橋脚に架け渡され橋軸方向に並べられた複数の橋桁とを含んで構成されている。
そして、橋台と橋桁との継ぎ目部、および、橋桁同士の継ぎ目部は、道路橋用伸縮装置を含んで構成されている。
道路橋用伸縮装置は、一般に、道路橋を構成する要素の互いに対向する端部、すなわち、互いに対向する橋台の端部と橋桁の端部、あるいは、互いに対向する橋桁の端部にそれぞれ取着された継手部材と、それら継手部材の間に配置され橋軸方向に伸縮可能な止水部材とを備えている（特許文献１参照）。
しかしながら上記従来技術では、経年劣化により止水部材が破損するなどして止水機能が低下し、雨水が止水部材から遊間を伝って下方に漏れ、道路橋を構成する支承や橋桁などの部材を腐食させることが懸念される。
そこで、道路橋用伸縮装置の止水部材の下方に、遊間を塞ぐように樋状のゴムシートを設置し、ゴムシートを道路橋用伸縮装置のアンカーボルトなどに固定することが提案されている（特許文献２参照）。
【先行技術文献】
【特許文献】
【０００３】
【特許文献１】特開２０１１−１２５００号公報
【特許文献２】特開２００３−６４６１２号公報
【発明の概要】
【発明が解決しようとする課題】
【０００４】
しかしながら、ゴムシートは、２〜３ｍｍ程度の厚さであるため、容易に変形しやすい。
そのため、ゴムシートを遊間上に配置して道路橋用伸縮装置のアンカーボルトなどに固定する作業の間、ゴムシートが遊間から落下しないように作業者が手でゴムシートを押さえつけていなければならず、作業が困難なものとなっている。
本発明は、このような事情に鑑みてなされたものであり、遊間に設置する際の作業性を向上する上で有利な止水装置を提供することを目的とする。
【課題を解決するための手段】
【０００５】
上記目的を達成するために、本発明は、道路橋を構成する要素の互いに対向する端部と共に前記道路橋の継ぎ目部を構成し前記端部の端面間に前記道路橋の橋軸方向と直交する方向に延在形成される遊間の伸縮を吸収する道路橋用伸縮装置の下方に配置される止水装置であって、前記遊間の長手方向および上方に開放状の凹部を形成し前記道路橋の橋軸方向に弾性変形可能で前記遊間に収容される凹部形成片部と、前記橋軸方向において互いに対向する前記凹部形成片部の上端にそれぞれ設けられ前記端部に係止可能な一対の係止片部とを有し、前記遊間の長手方向に間隔をおいて配置される複数のガイドプレートと、前記遊間の長手方向の全長にわたって延在し前記遊間の長手方向および上方に開放状の樋状を呈し前記複数のガイドプレートの前記凹部形成片部の内側に収容される樋状片部と、前記橋軸方向において互いに対向する前記樋状片部の上端にそれぞれ設けられ前記複数のガイドプレートの前記一対の係止片部にそれぞれ結合される複数対の結合片部とを有するゴムシートとを備えることを特徴とする。
【発明の効果】
【０００６】
遊間に配置される前に、ゴムシートに複数のガイドプレートが取り付けられ、ゴムシートの樋状片部の形状が複数のガイドプレートにより予め保持されるため、ゴムシートの遊間への配置を簡単に確実に行なう上で有利となる。
また、複数のガイドプレートの係止片部が互いに対向する橋桁の端部に係止し、ゴムシートの下方への落下がガイドプレートにより阻止されるため、ゴムシートの遊間への配置を簡単に確実に行なう上でより有利となる。
【図面の簡単な説明】
【０００７】
【図１】実施の形態の止水装置３０の構成を示す正面図である。
【図２】道路橋用伸縮装置１０および止水装置３０の施工手順を示す第１の断面図である。
【図３】道路橋用伸縮装置１０および止水装置３０の施工手順を示す第２の断面図である。
【図４】道路橋用伸縮装置１０および止水装置３０の施工手順を示す第３の断面図である。
【発明を実施するための形態】
【０００８】
次に本発明の実施の形態について図面を参照して説明する。
本実施の形態では、図４に示すように、道路橋は、橋脚によって支持された橋桁２が橋軸方向に並べられて構成され、それら橋桁２の継ぎ目部４は、互いに対向する橋桁２の端部２Ａと道路橋用伸縮装置１０と本発明に係る止水装置３０とを含んで構成され、図４において符号２Ｂは舗装面を示している。
道路橋を構成する要素である橋桁２の端部２Ａの端面間に道路橋の橋軸方向と直交する方向に遊間Ｓが延在形成され、遊間Ｓの橋軸方向の寸法は、温度変化などによる橋桁２の橋軸方向の伸縮に応じて増減する。
道路橋用伸縮装置１０はこの遊間Ｓの上部に配置され、この遊間Ｓの伸縮を吸収するものである。
【０００９】
本実施の形態では、対向する橋桁２の端部２Ａには、それぞれ凹部２Ｃが設けられ、この凹部２Ｃを介して道路橋用伸縮装置１０が遊間Ｓに設けられている。
道路橋用伸縮装置１０は、継手部材１２と止水部材１４と床版部１６とを備えている。
【００１０】
床版部１６は、鉄筋コンクリート製で、対向する橋桁２の端部２Ａの凹部２Ｃの上面にそれぞれ埋め込まれたアンカー筋１８と、アンカー筋１８に結合させて上面上に組まれた鉄筋２０と、それらアンカー筋１８および鉄筋２０を覆うように凹部２Ｃに打設されたコンクリート２２とを含んで構成されている。
床版部１６の上面は舗装面２Ｂと同一面となるように形成されている。
【００１１】
継手部材１２は、互いに対向する床版部１６の端部に取着されている。
継手部材１２は、側板１２０２と、底板１２０４とを備え、鋼材により一体的に構成されている。
側板１２０２は、橋桁２の端部２Ａの橋軸方向と直交する方向の全長にわたって延在し、橋桁２の上面に形成された舗装面２Ｂの上面（道路橋の上面）と同一面をなす上端面と、互いに対向する内側面１２０２Ａと、反対側に位置する外側面１２０２Ｂとを有している。
外側面１２０２Ｂには、床版部１６に埋設される鉄筋２４が水平方向に突設されている。
底板１２０４は、側板１２０２の長手方向の全長にわたって延在し、側板１２０２の下端から互いに近接する方向に突設され、底板１２０４の先端面が互いに対向している。
継手部材１２は、互いに対向する橋桁２の端部２Ａ間において、遊間Ｓを挟んで対向するように配置される。
【００１２】
止水部材１４は、降雨時などの場合に遊間Ｓに侵入する雨水の下方への流下を防止するものである。
止水部材１４は、継手部材１２の橋軸方向と直交する方向に全長にわたって延在しており、対向する側板１２０２の内側面１２０２Ａの間を接続し橋軸方向に伸縮可能に構成されている。
本実施の形態では、止水部材１４は、ベース部１４０２と、ベース部１４０２の上端の両側から突設された２つの屈曲部１４０４と、ベース部１４０２の下端から突設された２つの脚部１４０６とを備えている。
２つの屈曲部１４０４の先端は、互いに対向する継手部材１２の内側面１２０２Ａにそれぞれ取着される。
２つの脚部１４０６の下端は、互いに対向する継手部材１２の底板１２０４にそれぞれ取着される。
したがって、温度変化などにより対向する橋桁２が橋軸方向に伸縮すると、この橋桁２の伸縮に追従して屈曲部１４０４が橋軸方向に伸縮し、脚部１４０６が橋軸方向に変形する。
止水部材１４は、ゴムなどの従来公知の弾性材料で構成されている。
【００１３】
止水装置３０は、道路橋用伸縮装置１０の下方の遊間Ｓの箇所に配置されている。
図１に示すように、止水装置３０は、複数のガイドプレート３２と、単一のゴムシート３４と、複数の押さえプレート３６とを含んで構成されている。
【００１４】
ガイドプレート３２は金属製で、ガイドプレート３２は、凹部形成片部３２０２と、一対の係止片部３２０４とを備えている。
凹部形成片部３２０２は、遊間Ｓの長手方向および上方に開放状の凹部を形成し遊間Ｓに収容される大きさで形成されている。
凹部形成片部３２０２は、道路橋の橋軸方向に弾性変形可能に形成されている。
凹部形成片部３２０２は、本実施の形態では、下方に凸状に屈曲された底部３２０２Ａと、底部３２０２Ａの両側から起立する一対の起立部３２０２ＢとでＶ字状に構成されている。
なお、凹部形成片部３２０２により形成される遊間Ｓの長手方向および上方に開放状の凹部の形状は、Ｖ字状やＵ字状に限定されず、要するに後述するゴムシート３４の樋状片部３４０２が収容される大きさ、形状であればよい。
一対の係止片部３２０４は、橋軸方向において互いに対向する凹部形成片部３２０２の上端にそれぞれ設けられ、橋桁２の端部２Ａの凹部２Ｃの上面に係止可能に設けられている。
各係止片部３２０４に、アンカー筋１８に結合されるワイヤＷが設けられ、各係止片部３２０４とアンカー筋１８とは連結されている。
【００１５】
ゴムシート３４は、一定幅で延在する帯状のゴム材料からなり、樋状片部３４０２と、複数対の結合片部３４０４とを備えている。
樋状片部３４０２は、遊間Ｓの長手方向の全長にわたって延在し遊間Ｓの長手方向および上方に開放状の樋状を呈し、複数のガイドプレート３２の凹部形成片部３２０２の内側に収容されて配置されている。
複数対の結合片部３４０４は、橋軸方向において互いに対向する樋状片部３４０２の上端にそれぞれ設けられ、複数のガイドプレート３２の一対の係止片部３２０４にそれぞれ結合されている。
本実施の形態では、ゴムシート３４は一定幅で延在する帯状のゴム材料からなることから、複数対の結合片部３４０４は、ゴムシート３４の長手方向に間隔をおいた複数箇所でゴムシート３４の幅方向の両端に位置する箇所でそれぞれ構成されている。
【００１６】
本実施の形態では、複数の押さえプレート３６を設け、それら押さえプレート３６により、ゴムシート３４の結合片部３４０４を各ガイドプレート３２の係止片部３２０４との間でボルト３８、ナット４０を用いて挟持することで、ゴムシート３４の結合片部３４０４を各ガイドプレート３２の係止片部３２０４とを結合するようにしている。
押さえプレート３６は、結合片部３４０４に重ねられる上部３６０２と、樋状片部３４０２の上部に重ねられる下部３６０４とを有している。
下部３６０４は、ゴムシート３４の樋状片部３４０２の形状を安定した状態で保持するものである。
なお、上述の係止片部３２０４とボルト３８、ナット４０と押さえプレート３６の上部３６０２は床版部１６に埋設される。
【００１７】
また、本実施の形態では、図４に示すように、凹部形成片部３２０２の上部の内側に、遊間Ｓの長手方向の全長にわたって延在するウレタンスポンジからなる帯状部材４２が配置されている。
帯状部材４２は、床版部１６へのコンクリート２２の打設時に、コンクリート２２の凹部形成片部３２０２の内側への侵入を防止するものである。
【００１８】
次に、図１〜図４を参照して、道路橋用伸縮装置１０および止水装置３０の施工手順について説明する。
まず、例えば、２本のＩ形鋼などの鋼材を一定の間隔を空けて平行に配置し、それら鋼材の間に両端の係止片部３２０４を係止させて複数のガイドプレート３２を所定の間隔をおいて同一直線状に並べる。
次に、図１に示すように、ガイドプレート３２の凹部形成片部３２０２の内側に収容されるように、ゴムシート３４を屈曲させて樋状片部３４０２を形成し、樋状片部３４０２を複数のガイドプレート３２の凹部形成片部３２０２の内側に挿入し、複数対の結合片部３４０４を対応する一対の係止片部３２０４に重ね合わせる。
次に、複数対の結合片部３４０４の上に上部３６０２を重ね合わせ、凹部形成片部３２０２の上部に下部３６０４を重ね合わせることで押さえプレート３６を配置し、ボルト３８、ナット４０により複数対の結合片部３４０４を一対の係止片部３２０４と上部３６０２とで挟持することにより結合する。
【００１９】
このようにガイドプレート３２とゴムシート３４と押さえプレート３６とを含む止水装置３０が組み付けられたならば、図２に示すように、ガイドプレート３２の凹部形成片部３２０２を下方に向けて止水装置３０を上方から橋桁２の端部２Ａ間である遊間Ｓに挿入し、複数のガイドプレート３２の一対の係止片部３２０４を、橋桁２の端部２Ａの凹部２Ｃの上面に係止させる。
次に、凹部形成片部３２０２の上部３６０２の内側に帯状部材４２を隙間なく押し込む。これにより、帯状部材４２の弾性力により凹部形成片部３２０２が外側に開く方向の力を受けるため、一対の係止片部３２０４は、橋桁２の端部２Ａの凹部２Ｃの上面に押圧され凹部２Ｃの上面により確実に係止される。
【００２０】
次に、各係止片部３２０４とアンカー筋１８とをワイヤＷを介して連結し、ガイドプレート３２とゴムシート３４の床版部１６への結合構造をより強固とする。
また、床版部１６の鉄筋２０を配筋し、鉄筋２０とアンカー筋１８とを結合する。
また、図３に示すように、道路橋用伸縮装置１０の側板１２０２に取着された鉄筋２４を、床版部１６の鉄筋２０やアンカー筋１８に結合し、道路橋用伸縮装置１０の継手部材１２および止水部材１４を配置する。
次に、図４に示すように、凹部２Ｃの上面にコンクリート２２を打設し、道路橋用伸縮装置１０の床版部１６を形成する。
コンクリート２２の打設によりアンカー筋１８、鉄筋２０、２４、結合片部３４０４、係止片部３２０４、上部３６０２、ボルト３８、ナット４０がコンクリート２２により覆われる。
以上により道路橋用伸縮装置１０と止水装置３０の組み付けがなされる。
【００２１】
本実施の形態によれば、複数のガイドプレート３２を介して樋状片部３４０２を有するゴムシート３４を遊間Ｓに配置するようにした。
すなわち、ゴムシート３４の樋状片部３４０２の形状は複数のガイドプレート３２により遊間Ｓに装着する前に予め保持されており、したがって、ゴムシート３４の遊間Ｓへの配置を簡単に確実に行なう上で有利となる。
また、一対の係止片部３２０４を互いに対向する橋桁２の端部２Ａに係止させることで複数のガイドプレート３２が配置され、この複数のガイドプレート３２と一体にゴムシート３４が遊間Ｓに配置されるため、ゴムシート３４の下方への落下がガイドプレート３２により阻止され、ゴムシート３４の遊間Ｓへの配置を簡単に確実に行なう上でより有利となる。
【００２２】
また、ゴムシート３４の結合片部３４０４を各ガイドプレート３２の係止片部３２０４との間で挟持する複数の押さえプレート３６を設けたので、ゴムシート３４の樋状片部３４０２の形状を安定した状態で保持することができ、したがって、ゴムシート３４の遊間Ｓへの配置を簡単に確実に行なう上でより有利となる。
また、係止片部３２０４と結合片部３４０４とは、床版部１６に埋設されるため、長期にわたってゴムシート３４の樋状片部３４０２の形状を保持する上で有利となる。
また、長期使用によりゴムシート３４が劣化した場合であっても、ガイドプレート３２によりゴムシート３４の落下を防止する上で有利となる。
また、ボルト３８、ナット４０を係止片部３２０４と結合片部３４０４と押さえプレート３６の上部３６０２と共に床版部１６に埋設されるため、橋桁２側によるゴムシート３４の支持構造がより強固となり、長期にわたってゴムシート３４の樋状片部３４０２の形状を保持し、また、ゴムシート３４の落下を防止する上で有利となる。
【００２３】
なお、実施の形態では、止水装置３０が、互いに対向する橋桁２の端部２Ａに取着される場合について説明したが、止水装置３０は、道路橋を構成する要素の互いに対向する端部と共に道路橋の継ぎ目部４を構成するものであればよく、止水装置３０が互いに対向する橋台の端部と橋桁２の端部２Ａとに取着されてもよい。
【符号の説明】
【００２４】
２……橋桁、２Ａ……橋桁の端部、４……継ぎ目部、１０……道路橋用伸縮装置、１６……床版部、１８……アンカー筋、３０……止水装置、３２……ガイドプレート、３２０２……凹部形成片部、３２０４……係止片部、３４……ゴムシート、３４０２……樋状片部、３４０４……結合片部、３６……押さえプレート、３６０２……上部、３６０４……下部、３８……ボルト、４０……ナット、Ｓ……遊間、Ｗ……ワイヤ。
【図１】
2014190123.tif 000003
【図２】
2014190123.tif 000004
【図３】
2014190123.tif 000005
【図４】
2014190123.tif 000006